(57)【要約】【課題】ＴＶ放送受信とＦＭラジオ放送受信を１つの中間周波信号処理装置で実現し、ＦＭ放送受信時にもＳ／Ｎや入力感度特性良好な中間周波信号処理装置を提供することを目的とする。【解決手段】ＦＭラジオ受信時には外部制御端子６からの制御信号を用いてＶＩＦアンプ回路動作をＯＦＦにする。さらに制御信号はＲＦＡＧＣ選択回路１５にも作用してＡＧＣ電圧生成回路３０で発生させた電圧を選択してＲＦＡＧＣ出力端子２に出力する【選択図】  図１
2004193723.tif 000002
【特許請求の範囲】
【請求項１】
映像中間周波と音声中間周波をそれぞれ独立に検波することができる中間周波処理装置において、外部制御端子と、ＡＧＣ電圧発生回路と、映像中間周波処理部には前記外部制御端子から入力された制御信号により回路動作が制御される映像中間周波増幅器（以下ＶＩＦアンプ）をそなえ、前記制御信号により前記映像中間周波処理部からチューナー部の利得制御用に出力されるＲＦＡＧＣ出力と前記ＡＧＣ電圧発生回路の出力のうちのいずれかをＲＦＡＧＣ出力端子に出力するための選択手段をそなえたことを特徴とする中間周波処理装置。
【請求項２】
請求項１の中間周波処理装置において、音声中間周波処理部に含まれている音声出力回路は利得制御手段をそなえ、前記音声出力回路の利得が前記制御信号によって制御されることを特徴とした中間周波処理装置。
【請求項３】
請求項１または請求項２の中間周波処理装置において、映像中間周波処理部は前記制御信号により回路動作が制御されることを特徴とする中間周波処理装置。
【請求項４】
請求項１から請求項３の中間周波処理装置において、外部制御端子にはシリアルデータが入力され、前記外部制御端子から入力されたシリアルデータをデコードする手段と、前記デコードされた結果により前記制御信号が生成されることを特徴とした中間周波処理装置。
【請求項５】
前記請求項１から請求項４までの中間周波処理装置において、前記ＡＧＣ電圧発生回路で生成する電圧を外部より任意の電圧に設定するための手段をそなえたことを特徴とする中間周波処理装置。
【請求項６】
請求項５の中間周波処理装置において、外部制御端子にはシリアルデータが入力され、前記シリアルデータをデコードする手段と、前記デコードされた結果によって前記ＡＧＣ電圧発生回路の電圧を決定する手段と、前記シリアルデータをデコードした結果により前記制御信号を生成する手段をもつ中間周波処理装置。
【請求項７】
請求項１から請求項４までの中間周波処理装置において、音声中間周波信号レベルに応じた信号を出力するＳＩＦレベル検出回路をそなえ、前記ＡＧＣ電圧生成回路は前記ＳＩＦレベル検出回路の出力信号に応じた電圧を出力することを特徴とする中間周波処理装置。
【請求項８】
請求項７の中間周波処理装置において、前記ＡＧＣ電圧生成回路の出力電圧を外部より補正するための補正手段を設けたことを特徴とする中間周波処理装置。
【請求項９】
音声中間周波の周波数変換を行うためのミキサー回路と発振回路（以下ＯＳＣ）をそなえ、前記ミキサー回路の出力は前記ＳＩＦレベル検出回路と前記音声検波回路に入力されることを特徴とする請求項７から請求項８までの中間周波処理装置。
【請求項１０】
請求項１から請求項８までの中間周波処理装置において、音声中間周波入力端子にはそれぞれ通過帯域幅の異なるバンドパスフィルター（以下ＢＰＦ）が少なくとも２つ以上従属に接続され、前記ＢＰＦのそれぞれの出力にはそれぞれＳＩＦレベル検出回路が接続され、前記従属接続されたＢＰＦのうち最終段のＢＰＦの出力が音声検波回路に入力され、前記複数のＳＩＦレベル検出回路はそれぞれ演算回路に接続され、前記演算回路の演算結果に応じて前記ＡＧＣ電圧発生回路の出力電圧が決定されることを特徴とする中間周波処理装置。
【請求項１１】
請求項９の中間周波処理装置において、音声中間周波入力端子とミキサー回路の出力にはそれぞれ通過帯域幅の異なるＢＰＦが接続され、前記ＢＰＦの出力にはそれぞれＳＩＦレベル検出回路が接続され、前記音声中間周波入力端子に接続されたＢＰＦの出力はミキサー回路に接続され、前記ミキサー回路の出力に接続された前記ＢＰＦの出力は音声検波回路に接続され、前記ＳＩＦレベル検出回路の出力はそれぞれ演算回路に接続され、前記ＡＧＣ電圧発生回路の出力電圧は前記演算回路の演算結果に応じて決定されることを特徴とする中間周波処理装置。
【発明の詳細な説明】
【０００１】
【発明の属する技術分野】
本発明はＴＶ放送信号受信とＦＭラジオ放送信号受信を一つの中間周波処理装置で実現するための信号処理技術に関するものである。
【０００２】
【従来の技術】
近年、車載ＴＶの分野ではＴＶとＦＭラジオの信号受信回路部の小型化と部品点数の削減によるコストダウンを実現するため、特許文献１で示されるようなＴＶ放送信号受信器とＦＭラジオ放送受信器を兼用することのできる信号処理方式が提案されている。また、図１２に示す従来の中間周波処理装置を用いてＴＶ放送信号受信器とＦＭラジオ放送受信器を兼用できる受信装置を作成した場合においても、ＴＶの映像中間周波と音声中間周波は独立に検波を行うことができるため、ＦＭラジオ放送受信時には従来の中間周波処理装置の音声中間周波処理部を用いることによりＦＭラジオ放送信号受信を受信することは可能である。
【０００３】
【特許文献１】
特開２００２−２０８８６７号公報
【０００４】
【発明が解決しようとする課題】
特許文献１で開示された受信装置では、ＴＶ放送信号とＦＭ放送信号を受信する際の信号選択手段と、選択した信号を処理する際の利得配分の手段について述べられている。しかしながら、前記受信装置を従来の図１２で示される映像信号と音声信号を独立に検波可能な中間周波処理装置を用いて実現した場合、従来の中間周波処理装置ではＴＶ放送信号に含まれている映像信号を利得制御検出部で検出して映像検波出力レベルを一定に保つようにＶＩＦアンプの利得制御を行っているため、ＦＭラジオ放送信号を受信した場合にはＶＩＦアンプの利得制御の基準となる映像信号が存在しないため、前記利得制御検出部が映像信号が極めて小さいと判定してしまうことによってＶＩＦアンプの利得を最大の状態にしてしまう。その結果、前記ＶＩＦアンプが雑音を発生させ前記雑音が音声中間周波処理部に影響を与えてしまい、ＦＭラジオ信号受信時の音声検波出力の信号対雑音比（以下Ｓ／Ｎ）と入力感度特性を悪化させてしまう課題があった。また中間周波処理装置の前段に接続されているチューナー部の利得を制御するためのＲＦＡＧＣ電圧も中間周波処理装置にそなえられている映像信号の利得検出回路の出力を用いて生成しているため、ＦＭラジオ放送受信時にはＲＦＡＧＣ電圧を生成するための映像信号が存在しないためチューナー部の利得制御ができなくなってしまい、ＦＭラジオ放送が受信できなくなるか、あるいは入力感度特性が悪化してしまう課題があった。
【０００５】
【課題を解決するための手段】
前記従来の課題を解決するために、本発明の中間周波処理装置では外部制御信号によりＶＩＦアンプの回路動作を制御する手段をもったＶＩＦアンプと、ＡＧＣ電圧生成回路と、ＶＩＦアンプの利得制御信号からチューナー部の利得制御電圧を生成するＲＦＡＧＣ回路と、前記制御信号の作用により前記ＡＧＣ電圧生成回路の出力と前記ＲＦＡＧＣ回路の出力のうちのいずれかをＲＦＡＧＣ出力電圧として出力するためのＲＦＡＧＣ電圧選択回路をそなえ、ＦＭラジオ放送受信を行う際には外部制御信号の作用によりＶＩＦアンプの回路動作をＯＦＦにし、また前記制御信号がＲＦＡＧＣ選択回路に作用することによりＲＦＡＧＣ出力端子にはＡＧＣ電圧生成回路で生成された電圧を選択して出力する。
【０００６】
【発明の実施の形態】
本発明の実施の形態ついて図を参照しながら説明する。
【０００７】
図１は本発明の第１の実施の形態を示すもので、その構成をブロック図で表したものである。図１に示されているように、この中間周波処理装置は映像中間周波入力端子１と、ＲＦＡＧＣ出力端子２と、音声中間周波入力端子３と、映像出力端子４と、音声出力端子５と、外部制御端子６と、ＲＦＡＧＣ選択回路１５と、ＡＧＣ電圧生成回路３０と、映像中間周波処理部２０１と、音声中間周波処理部２０２をそなえ、前記映像中間周波処理部２０１にはＶＩＦＡＭＰ１０と、映像検波回路１１と、利得制御検出回路１２と、映像出力回路１３と、ＲＦＡＧＣ回路１４をそなえ、前記音声中間周波処理部２０２には音声検波回路２０と、音声出力回路２１をそなえている。
【０００８】
ＴＶ放送受信時は外部制御端子６からＴＶ放送受信を示す制御信号が入力され、ＴＶ信号に含まれている映像中間周波が映像中間周波入力端子１から入力され、ＴＶ信号に含まれている音声中間周波は音声中間周波入力端子３から入力され、前記ＶＩＦＡＭＰ１０は前記制御信号の作用により回路動作がＯＮの状態になり、前記ＶＩＦＡＭＰ１０の出力は前記映像検波回路１１に入力され、前記映像検波回路１１で検波された映像信号は利得制御検出回路１２と映像出力回路１３に入力され、映像出力端子４には前記映像検波回路１１で検波された映像信号を映像出力回路１３で増幅した映像信号が出力され、前記ＶＩＦＡＭＰ１０の利得は前記利得制御検出回路１２の出力によって映像検波回路１１から出力される映像信号の出力レベルを一定にするように利得制御が行われ、前記利得制御検出回路１２はチューナー部３０１の利得制御電圧を生成するＲＦＡＧＣ回路１４に入力され、ＲＦＡＧＣ選択回路１５は前記制御信号によりＲＦＡＧＣ回路１４で生成された電圧をＲＦＡＧＣ出力端子２に出力している。また前記音声中間周波入力端子３から入力されたＴＶ放送信号に含まれている音声中間周波は音声検波回路２０に入力され、前記音声検波回路２０で検波された音声信号は音声出力回路２１で増幅された後、音声出力端子５から出力される。
【０００９】
ＦＭラジオ放送受信時には外部制御端子６からＦＭ放送受信を示す制御信号が入力され、ＦＭラジオ中間周波はＴＶの音声中間周波と同様に音声中間周波入力端子３から入力され、映像中間周波入力端子１には映像中間周波が存在しないため信号は入力されない。前記音声中間周波入力端子３から入力された音声中間周波は音声検波回路２０に入力され、前記音声検波回路２０で検波された音声信号は音声出力回路２１で増幅されて音声出力端子５から出力される。またＦＭラジオ放送受信時にＶＩＦＡＭＰ１０は前記制御信号の作用により回路動作がＯＦＦになり、前記ＲＦＡＧＣ選択回路１５は前記制御信号の作用により前記ＡＧＣ電圧生成回路３０の出力電圧を選択して前記ＲＦＡＧＣ端子２に出力する。
【００１０】
本構成を用いた場合、ＦＭ放送受信時に前記ＶＩＦアンプ１０に映像中間周波が入力されていないため前記利得制御検出回路１２が映像検波信号が小さいと判定して前記ＶＩＦアンプ１０の利得を最大にしてしまい、前記ＶＩＦアンプ１０から派生する雑音が音声中間周波処理部２０２に影響を与えて音声検波出力のＳ／Ｎと入力感度特性を悪化させてしまうということをなくすことができるので、音声検波出力のＳ／Ｎ特性や入力感度特性の優れた中間周波処理装置を実現できる。
【００１１】
図２は本発明の第２の実施の形態の例を示すもので、その構成をブロック図で表したものである。第１の実施の形態と比べて、音声出力回路２１は利得制御手段をそなえ、最大周波数偏移がそれぞれ異なるＴＶ音声信号とＦＭラジオ放送信号を受信した際に、それぞれの音声出力レベルおよび歪特性が変化しないように前記音声出力回路の利得が前記制御信号の作用により制御されているところが異なる。図２において図１で示された同じ構成要素には同じ符号をつけている。
【００１２】
図３は本発明の第３の実施の形態の例を示すもので、その構成をブロック図で表したものである。第１の実施の形態と比べて、制御信号は映像中間周波処理部２０１に含まれるすべての回路ブロックに作用して低消費電力化を実現していることが異なる。図３において図１で示された同じ構成要素には同じ符号をつけている。
【００１３】
図４は本発明の第４の実施の形態の例を示すもので、２線式のシリアルデータを用いた場合の構成をブロック図で表したものである。第１の実施の形態と比べてデータ入力端子６−１には２線式シリアルデータのうちのデータ信号が入力され、クロック入力端子６−２には２線式シリアルデータのうちのクロック信号が入力され、入力されたシリアルデータからＴＶ放送受信かまたはＦＭ放送受信かを選択するための制御信号を生成するシリアルデータデコード回路３１をそなえることにより、本中間周波処理装置の取り扱いを簡便化していることが異なる。図４において図１で示された同じ構成要素には同じ符号をつけている。なお２線式のシリアルデータの代わりに３線式のシリアルデータを用いてもよい。
【００１４】
図５は本発明の第５の実施の形態の例を示すもので、その構成をブロック図で表したものである。第１の実施の形態と比べてＲＦＡＧＣ出力電圧調整端子７に入力される調整信号よってＡＧＣ電圧生成回路３０の出力電圧を任意の電圧に設定することが可能となっており、前記ＡＧＣ電圧生成回路３０で生成される電圧のばらつきを補正することにより、ＦＭ放送受信時にＲＦＡＧＣ出力端子２に出力されるＲＦＡＧＣ電圧のばらつきをなくすことが可能となっていることが異なる。図５において図１で示された同じ構成要素には同じ符号をつけている。
【００１５】
図６は本発明の第６の実施の形態の例を示すもので、２線式のシリアルデータバスを用いた場合の構成をブロック図で表したものである。第５の実施の形態と比べてデータ入力端子６−１には２線式シリアルデータのうちのデータ信号が入力され、クロック入力端子６−２には２線式シリアルデータのうちのクロック信号が入力され、入力されたシリアルデータをデコードすることによりＴＶ放送受信かまたはＦＭ放送受信かを選択するための制御信号とＲＦＡＧＣ電圧調整信号を生成するためのシリアルデータデコード回路３１をそなえることにより本中間周波処理装置の取り扱いを簡便化していることが異なる。図６において図５で示された同じ構成要素には同じ符号をつけている。
【００１６】
図７は本発明の第７の実施の形態の例を示すもので、その構成をブロック図で表したものである。第１の実施の形態と比べて、音声中間周波の信号レベルを検出するためのＳＩＦレベル検出回路２２をそなえ、前記ＳＩＦレベル検出回路２２の出力に応じて前記ＡＧＣ電圧生成回路３０の電圧を決定することが可能となっており、ＦＭラジオ放送受信時にもＦＭラジオ中間周波レベルに応じたＡＧＣ電圧を用いてチューナー部３０１の利得を制御できるので、チューナー部３０１と中間周波処理装置２００との間で利得配分を最適化することができ、入力感度特性を良好にできることが異なる。図７において図１で示された同じ構成要素には同じ符号をつけている。
【００１７】
図８は本発明の第８の実施の形態の例を示すもので、その構成をブロック図で表したものである。第７の実施の形態と比べて、前記ＡＧＣ電圧生成回路３０は出力電圧補正手段をそなえ、前記ＡＧＣ電圧補正端子８から入力される補正信号により前記ＡＧＣ電圧生成回路３０で生成する電圧を補正することにより前記ＳＩＦレベル検出回路２２のばらつきによる出力電圧の変動を補正することが可能となっていることが異なる。図８において図７で示された同じ構成要素には同じ符号をつけている。
【００１８】
図９は本発明の第９の実施の形態の例を示すもので、その構成をブロック図で表したものである。第７の実施の形態と比べて音声中間周波を周波数変換するためのミキサー回路２３とＯＳＣ２４をそなえ、音声中間周波入力端子３から入力された音声中間周波は前記ミキサー回路２３に入力され、前記ミキサー回路２３で周波数変換された音声中間周波の出力が前記ＳＩＦレベル検出回路２２と音声検波回路２０に接続されているところが異なる。本構成により前記ＳＩＦレベル検出回路２２と音声検波回路２０で扱う音声中間周波の周波数を下げることができるので前記ＳＩＦレベル検出回路２２と前記音声検波回路２０の回路動作を安定にすることができる。また発振回路２４は中間周波処理装置に内蔵しても外付けにしてもよい。図９において図６で示された同じ構成要素には同じ符号をつけている。
【００１９】
図１０は第１０の実施の形態の例を示すもので、音声中間周波入力端子３からバンドパスフィルターＡ（以下ＢＰＦＡ）２５−１およびバンドパスフィルターＢ（以下ＢＰＦＢ）２５−２が２段従属接続された例を示す。第１の実施の形態と比べて、音声中間周波入力端子３から入力された音声中間周波信号は前記ＢＰＦＡ２５−１に入力され、前記ＢＰＦＡ２５−１の出力はＳＩＦレベル検出回路Ａ２２−１と前記ＢＰＦＢ２５−２にそれぞれ接続され、前記ＢＰＦＢ２５−２の出力はＳＩＦレベル検出回路Ｂ２２−２と前記音声検波回路２０にそれぞれ接続され、前記ＳＩＦレベル検出回路Ａ２２−１と前記ＳＩＦレベル検出回路Ｂ２２−２の出力は演算回路４０に接続され、前記演算回路４０の出力はＡＧＣ電圧生成回路３０に接続され、前記ＢＰＦＡ２５−１の通過帯域幅は前記ＢＰＦＢ２５−２の通過帯域幅より広く設定され、前記演算回路４０では前記ＳＩＦレベル検出回路Ａ２２−１と前記ＳＩＦレベル検出回路Ｂ２２−２の出力を演算することによって音声中間周波に隣接している妨害信号レベルが判定され、前記ＡＧＣ電圧生成回路３０の出力電圧は前記演算回路４０の演算結果に応じて決定されることが異なる。図１０において図１で示された同じ構成要素には同じ符号をつけている。本構成により、ＦＭラジオ受信時には前記ＡＧＣ電圧生成回路３０はＦＭラジオ中間周波に隣接する妨害信号レベルに応じた電圧を発生できるので、ＦＭ中間周波に隣接する妨害信号レベルに応じてチューナー部３０１と中間周波処理装置２００の利得配分を決定することができ、その結果妨害信号の影響による受信感度特性の劣化を軽減した受信器が実現できる。本構成における妨害信号の判定手段の一例をあげると、妨害信号が音声中間周波から１００ｋＨｚ離れている場合、前記ＢＰＦＡ２５−１の通過帯域幅を３００ｋＨｚ、前記ＢＰＦＢ２５−２の通過帯域幅を５０ｋＨｚとすると前記ＳＩＦレベル検出回路Ａ２２−１には妨害信号を含んだ音声中間周波信号レベルに応じた出力が得られ、前記ＳＩＦレベル検出回路Ｂ２２−２には妨害信号を含まない音声中間周波信号レベルに応じた出力が得られ、前記演算回路４０で前記ＳＩＦレベル検出回路Ａ２２−１の出力とＳＩＦレベル検出回路Ｂ２２−２の出力を演算することにより妨害信号レベルを判定する。なお前記ＢＰＦＡ２５−１およびＢＰＦＢ２５−２は中間周波処理装置に内蔵しても外付けとしてもよい。またＢＰＦＡ２５−１は音声中間周波用ＳＡＷ３０３を用いてもよい。
【００２０】
図１１は本発明の第１１の実施の形態の例を示すもので、その構成をブロック図で示したものである。第９の実施の形態と比べて、音声中間周波入力端子３から入力された音声中間周波はＢＰＦＡ２５−１に入力され、前記ＢＰＦＡ２５−１の出力はミキサー回路２３とＳＩＦレベル検出回路Ａ２２−１に入力され、前記ミキサー回路２３の出力はＢＰＦＢ２５−２に入力され、前記ＢＰＦＢ２５−２の出力はＳＩＦレベル検出回路Ｂ２２−２と音声検波回路２０に入力され、前記ＳＩＦレベル検出回路Ａ２２−１と前記ＳＩＦレベル検出回路Ｂ２２−２の出力は演算回路４０に入力され、前記演算回路４０の出力は前記ＡＧＣ電圧生成回路３０に入力され、前記ＢＰＦＡ２５−１の通過帯域幅は前記ＢＰＦＢ２５−２の通過帯域幅より広く設定されていることが異なる。図１１において図９で示された同じ構成要素には同じ符号をつけている。本構成により、前記ＡＧＣ電圧生成回路３０ではＦＭラジオ放送受信時にはＦＭラジオ中間周波に隣接した妨害信号レベルに応じた電圧を発生できるので、妨害信号レベルに応じてチューナー部３０１と中間周波処理装置２００の利得配分を決定できる。また音声中間周波入力端子３に入力された音声中間周波はミキサー回路２３で低い周波数に変換されるため、前記ＢＰＦＢ２５−２や前記ＳＩＦレベル検出回路Ｂ２２−２、前記音声検波回路２０の回路動作を安定にすることができる。また前記ＢＰＦＡ２５−１およびＢＰＦＢ２５−２、ＯＳＣ２４はそれぞれ中間周波処理装置に内蔵しても外付けとしてもよい。また前記ＢＰＦＡ２５−１は音声中間周波用ＳＡＷ３０３を用いてもよい。
【００２１】
【発明の効果】
本発明の中間周波処理装置を用いた場合、ＦＭラジオ受信時にＶＩＦアンプで発生する雑音の影響をなくすことができるため、音声検波出力のＳ／Ｎ比やＦＭラジオ受信時の入力感度特性が良好なＴＶ信号とＦＭラジオ受信を兼用した受信器を実現できる。またＦＭラジオ受信時の際にもチューナー部の利得制御電圧を出力することができるので、ＴＶ放送受信用中間周波処理装置とＦＭラジオ受信用中間周波処理装置を１つの中間周波処理装置で実現することが可能となり、その結果受信器の部品点数を削減することができるので、ＴＶ放送受信とＦＭ放送受信を兼用した受信器を安価に実現できる。さらにＦＭラジオ放送受信時にはＶＩＦＡＭＰの回路動作がＯＦＦしているので低消費電力化もできる。
【図面の簡単な説明】
【図１】本発明によるＩＦ信号処理ＩＣの第１の実施の形態のブロック図
【図２】本発明によるＩＦ信号処理ＩＣの第２の実施の形態のブロック図
【図３】本発明によるＩＦ信号処理ＩＣの第３の実施の形態のブロック図
【図４】本発明によるＩＦ信号処理ＩＣの第４の実施の形態のブロック図
【図５】本発明によるＩＦ信号処理ＩＣの第５の実施の形態のブロック図
【図６】本発明によるＩＦ信号処理ＩＣの第６の実施の形態のブロック図
【図７】本発明によるＩＦ信号処理ＩＣの第７の実施の形態のブロック図
【図８】本発明によるＩＦ信号処理ＩＣの第８の実施の形態のブロック図
【図９】本発明によるＩＦ信号処理ＩＣの第９の実施の形態のブロック図
【図１０】本発明によるＩＦ信号処理ＩＣの第１０の実施の形態のブロック図
【図１１】本発明によるＩＦ信号処理ＩＣの第１１の実施の形態のブロック図
【図１２】従来のスプリットキャリア方式のＩＦ信号処理ＩＣのブロック図
【符号の説明】
１  映像中間周波入力端子
２  ＲＦＡＧＣ出力端子
３  音声中間周波入力端子
４  映像信号出力端子
５  音声信号出力端子
６  外部制御入力端子
６−１  データ入力端子
６−２  クロック入力端子
７  ＲＦＡＧＣ出力電圧調整端子
８  ＡＧＣ電圧補正端子
１０  ＶＩＦアンプ
１１  映像検波回路
１２  利得制御検出回路
１３  映像出力回路
１４  ＲＦＡＧＣ回路
１５  ＲＦＡＧＣ選択回路
２０  音声検波回路
２１  音声出力回路
２２  ＳＩＦレベル検出回路
２２−１  ＳＩＦレベル検出回路Ａ
２２−２  ＳＩＦレベル検出回路Ｂ
２３  ミキサー回路
２４  発振回路（ＯＳＣ）
２５−１  バンドパスフィルターＡ（ＢＰＦＡ）
２５−２  バンドパスフィルターＢ（ＢＰＦＢ）
３０  ＡＧＣ電圧生成回路
４０  演算回路
２００  中間周波処理装置
２０１  映像中間周波処理部
２０２  音声中間周波処理部
３００  アンテナ
３０１  チューナー部
３０２  映像中間周波用ＳＡＷ
３０３  音声中間周波用ＳＡＷ
【図１】
2004193723.tif 000003
【図２】
2004193723.tif 000004
【図３】
2004193723.tif 000005
【図４】
2004193723.tif 000006
【図５】
2004193723.tif 000007
【図６】
2004193723.tif 000008
【図７】
2004193723.tif 000009
【図８】
2004193723.tif 000010
【図９】
2004193723.tif 000011
【図１０】
2004193723.tif 000012
【図１１】
2004193723.tif 000013
【図１２】
2004193723.tif 000014